(57)【要約】中底（２）及び甲革（４）の下縁を包み込むウェルト（３）に結合されたソール（１）と、内側表面に裏打ちされた半透膜（６）とを備え、前記下縁は前記中底（２）及び望ましくは前記ソール（１）と一体的にプラスチック若しくはゴム材料で形成されるウェルト（３）に結合された防水テープ（７）に接着されている。
2005520611.tif 000002
【特許請求の範囲】
【請求項１】
中底（２）及び甲革（４）の下縁を包み込むウェルト（３）に結合されるソール（１）を備えた履物において、
甲革（４）の内側表面には防水膜若しくは半透膜（６）が裏打ちされ、前記中底（２）に結合された防水テープは前記甲革（４）の下方内縁に沿って接着されていることを特徴とする履物。
【請求項２】
請求項１に記載の履物において、
前記ウェルト（３）はプラスチック若しくはゴム材料で前記ソール（１）と一体的に形成されていることを特徴とする履物。
【請求項３】
請求項１又は２い記載の履物において、
前記膜（６）は半透膜であることを特徴とする履物。
【請求項４】
請求項３に記載の履物において、
前記膜（６）は非孔質重合材料のシートからなることを特徴とする履物。
【請求項５】
請求項１〜４の何れかに記載の履物において、
前記膜（６）は熱活性接着剤からなる接着剤パターンによって前記甲革（４）に結合されていることを特徴とする履物。
【請求項６】
請求項１〜５の何れかに記載の履物において、
前記防水テープ（７）は前記中底（２）に縫い付けられていることを特徴とする履物。
【請求項７】
請求項６に記載の履物において、
裏地（５）が、前記中底（２）に防水テープ（７）を結合させるための縫い目（９）と同じ縫い目で前記中底（２）に縫い付けられることを特徴とする履物。
【請求項８】
請求項１〜７の何れかに記載の履物において、
前記防水テープ（７）は15〜20ｍｍの幅を有し、前記甲革（４）に接着されている部分（８）は７〜10ｍｍの幅を有していることを特徴とする履物。
【請求項９】
請求項１〜８の何れかに記載の履物において、
前記防水テープ（７）は熱活性接着剤層によって前記甲革（４）に接着されていることを特徴とする履物。
【請求項１０】
履物を製造する方法において、
甲革（４）の内部に防水膜若しくは半透膜（６）を裏打ちする工程と、
前記膜（６）が裏打ちされた前記甲革（４）の下縁に防水テープ（７）を接着する工程と、
前記防水テープ（７）を中底（２）に結合する工程と、
前記甲革（４）に結合された中底（２）を型に挿入する工程であって、その型の中では、中底２とウェルト３の下であって甲革４の下縁の周り、及び甲革４の下縁と前記中底２の間の防水テープの部分の周りに、ソール１を形成する工程とからなることを特徴とする履物の製造方法。
【請求項１１】
請求項１０に記載の方法において、
裏地（５）が前記防水テープと共に前記中底（２）に縫い付けられることを特徴とする方法。
【発明の詳細な説明】
【技術分野】
【０００１】
本発明は、防水履物に係り、特に、プラスチック又はゴム製の防水の甲革及びソールを有する靴又はブーツに関する。本発明はまた、そのような履物の製造方法に関する。
【背景技術】
【０００２】
公知の防水履物は、甲革及び１枚又はそれ以上の半透膜（即ち、通気性はあるが水は通さない膜）と結合された１枚又それ以上の織物層を備えた保護裏地の下縁と縫い合わされる中底と共に射出成形されたソールを備えている。これらの公知の履物の甲革において、特に皮革で作られている場合、水を吸ってしまい、従って中底との縫い目を通して侵入してしまい、これにより保護裏地の周りに到達する。
【０００３】
このような問題を避けるために、米国特許第４８９９４６５号明細書では、甲革が穴の開いた部品又は網状テープによって中底に結合されている防水履物が開示されており、これは、ソールの形成の間、プラスチック又はゴム材料が甲革を中底から分離して、これによりそこを水が通過するのを防ぐためである。しかしながら、この公知の履物においてはまた、水が甲革を通過し、その水は裏地の外側織物によって吸収されてしまうようになり、また低減方法があるとしても、中底の縫い目を通して履物の内部に通過してしまう。更に、甲革に穴を形成することは比較的複雑であり、また網状テープは幅広で剛性があり、ソールの折れ曲がりを阻害する。
【０００４】
これらの更なる問題を解決するために、米国特許第５５０５０１１号明細書には、甲革の下縁を除いて上記したものと類似の防水履物が開示されており、これは穴が形成されておらずまた網状テープも用いていないが、保護裏地に直接接着されており、保護裏地は中底まで引き伸ばされて縫い付けられている。しかし、この公知の履物でも僅かな量の水が甲革に浸透し、裏地と甲革の間の内部空間に溜まってしまう。
【発明の開示】
【発明が解決しようとする課題】
【０００５】
従って、本発明の目的は、上記のような問題点を有しない防水履物を提供することである。
【課題を解決するための手段】
【０００６】
上記目的は、以下の履物及びその製造方法によって達成でき、その主要な特徴は、請求項１及び１０によってそれぞれ特定されており、その他の特徴は従属請求項によって特定される。
甲革内部を裏打ちする半透膜及び甲革を中底に結合する防水テープのおかげで、本発明の履物は甲革の表面の全体だけでなくその下縁に沿っても完全に防水することができる。
更に、本発明の履物は保護裏地の使用を必須とせず、その裏地は必要であればとにかく中底に縫い付けられ、水の浸透の危険性を無くす。
【０００７】
本発明の特に有利な点によれば、半透膜は接着剤パターンによって甲革に結合され、それにより通気性を阻害しない。
防水テープは、既に繊維産業で用いられている熱活性接着剤層を有することが望ましく、これにより本発明に係る方法による履物製造は、より迅速で、簡単で且つ安くなる。
本発明による履物雄及びその製造方法の更なる利点及び特徴は、後述する詳しい説明によって当業者にとって明確となるであろうが、これは添付図面を参照しながら特に限定するものではない実施形態の説明である。
【発明を実施するための最良の形態】
【０００８】
図１を参照すると、本発明の実施形態に係る防水履物が、プラスチック又はゴム材料のソール１を公知の態様で備えていることが見て取れる。ソールは、ソール１の上部に配置されている中底２およびウェルト(welt)３と結合される。ウェルトは、ソール１と一体的に構成し、甲革４ともしあるならば内部裏地５の下縁を包み込むことが望ましい。
【０００９】
本発明によれば、甲革４の内部表面は、防水膜又は半透膜６によって裏打ちされ、その甲革４側に向かって曲がっている膜の表面には接着剤パターン（特に熱活性接着剤）を形成することが望ましく、本願と同じ出願人名で国際公開第ＷＯ  ００／２２９４８号として公開されている国際出願に記載されている方法によって加熱積層されるようになっている。本実施形態において、膜６は半透膜であり、即ち水は通過させず通気性だけがあり、ポリウレタン，ポリテトラフルオロエチレン、ポリエステル或いは他の重合材料からなるシートであることが望ましく、そのシートは、非孔質(non-porous)で５μｍ〜100μｍの厚さを有し、浸透によって蒸気を通過させるようになっている。防水テープ７の縁部（反対側の縁部は特に縫い付けによって中底２に結合されている）は、甲革４の下縁の内部に沿って適切に接着されている。甲革４の膜６上に接着された防水テープ７の部分８は、７〜10ｍｍ程度の幅であり、裏地５は防水テープ７を中底２に結合するのと同じ縫い目で中底２に縫い付けられる。防水テープ７は15〜20ｍｍの幅を有し、熱接着できるように、予め熱活性接着剤層を形成しておくことが望ましい。接着剤は、それ自身防水性でないテープに対して防水物として機能することができる。
【００１０】
本発明の製造方法において、甲革４は内部に半透膜６が裏打ちされ、その後、防水テープ７は半透膜６の下縁に接着されると共に裏地５と共に中底２に縫い付けられる。最後に、甲革４に結合された中底２は、溶けたプラスチック又はゴム材料が射出される型の中に挿入される。その後、型の中で凝固させて中底２とウェルト３の下であって、甲革４の下縁の周り及び甲革４の下縁と中底２の間の防水テープの部分の周りにソール１を形成する。
同じ発明の範囲を維持しながら、上記の発明の実施形態に対して当業者であれば変更及び追加をすることができる。
【図面の簡単な説明】
【００１１】
【図１】図1は、本発明の一実施形態による方法で製造された履物の部分断面図を示す。
【図１】
2005520611.tif 000003
【国際調査報告】
2005520611.tif 000004
2005520611.tif 000005
2005520611.tif 000006